【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
第１の画像データに対してレイアウトの設定を行う設定手段、
前記第１の画像データと合成する第２の画像データのレイアウトに、前記第１の画像データに対して設定されたレイアウトを反映させるか否か決定する決定手段、
前記レイアウトの設定を反映して処理を施された前記第１の画像データ及び前記決定手段により決定されたレイアウトを反映して処理を施された第２の画像データを用いて画像を印刷するための画像データ出力する出力手段、
を有することを特徴とする画像処理装置。
【請求項２】
前記設定手段によって設定されたレイアウト設定に従って前記第１の画像データの印刷が行われたプレプリント紙を得るプレプリント紙取得手段を更に有し、
前記出力手段は、前記設定手段により第１の画像データに対して設定されたレイアウトを反映して処理を施された第２の画像データを、前記第１の画像データの印刷が行われたプレプリント紙に印刷するための印刷データを出力することを特徴とする請求項１に記載の画像処理装置。
【請求項３】
前記第２の画像データ及び前記設定手段によって設定されたレイアウト設定を受信し、前記第１の画像データに対して設定されたレイアウトを反映して処理を施された前記第２の画像データを前記第１の画像データの印刷が行われたプレプリント紙に印刷する手段を有している別の画像処理装置と接続されていることを特徴とする請求項２に記載の画像処理装置。
【請求項４】
前記決定手段による結果を適用するか否か選択するための表示画面を作成する手段を有し、前記決定手段による結果を適用すると選択された場合のみ前記レイアウトを前記第２の画像データの処理に適用することを特徴とする請求項１に記載の画像処理装置。
【請求項５】
前記決定手段は、前記第１の画像データと合成する第２の画像データのレイアウトに、前記第１の画像データに対して設定されたレイアウトを反映させるか否かユーザの指定によって決定されることを特徴とする請求項１に記載の画像処理装置。
【請求項６】
前記第２の画像データと合成が可能な第１の画像データが複数ある場合、該第１の画像データの印刷時間、該第１の画像データを印刷したユーザ名、該第１の画像データ名、該第２の画像データ名、該第１の画像データと該第２の画像データが合成された後の印刷画像のプレビューのうち少なくともいずれかをリスト表示することを特徴とする請求項１に記載の画像処理装置。
【請求項７】
前記第１の画像データを印刷した後に、前記第１の画像データの印刷が行われたプレプリント紙が給紙され第２の画像データの印刷指示を受けるまで、他の画像データの印刷指示を受け付けないことを特徴とする請求項２に記載の画像処理装置。
【請求項８】
前記第２の画像データが複数のページから構成されている場合、前記第１の画像データに設定されたレイアウトを前記第２の画像データに対しても設定することを特徴とする請求項１に記載の画像処理装置。
【請求項９】
前記第２の画像データとして使用する画像データを編集した際、該編集の内容を画像編集設定として前記レイアウト設定とともに登録する手段、
前記第１の画像データを処理した時に設定されたレイアウトと前記画像編集設定の内容に差がある場合は第１の画像データに対して設定されたレイアウトを第２の画像データに対しても設定することを特徴とする請求項１に記載の画像処理装置。
【請求項１０】
前記第１の画像データはシアン、マゼンタ、イエロー、ブラックのトナーのうち少なくとも１色を用いて印刷され、前記第２の画像データは透明トナーを用いて印刷されることを特徴とする請求項１乃至９に記載の画像処理装置。
【請求項１１】
第１の画像データに対してレイアウトの設定を行う設定ステップ、
前記第１の画像データと合成する第２の画像データに、前記第１の画像データに対して設定されたレイアウトを反映させるか否かを決定する決定ステップ、
前記レイアウトの設定を反映して処理を施された前記第１の画像データ及び前記決定ステップにより決定されたレイアウトを反映して処理を施された第２の画像データを用いて画像を印刷するための画像データ出力する出力ステップ、を有することを特徴とする画像処理装置の制御方法。
【請求項１２】
前記設定ステップによって設定されたレイアウト設定に従って前記第１の画像データの印刷が行われたプレプリント紙を得るプレプリント紙取得ステップを更に有し、
前記出力ステップは、前記設定ステップにより第１の画像データに対して設定されたレイアウト設定を反映して画像処理を施された第２の画像データを、前記第１の画像データの印刷が行われたプレプリント紙に印刷するための印刷データを出力することを特徴とする請求項１１に記載の画像処理装置の制御方法。
【請求項１３】
前記第２の画像データ及び前記設定ステップによって設定されたレイアウト設定を受信し、前記第１の画像データに対して設定されたレイアウト設定を反映して処理を施された前記第２の画像データを前記第１の画像データの印刷が行われたプレプリント紙に印刷するステップを実行している別の画像処理装置と接続されていることを特徴とする請求項１２に記載の画像処理装置の制御方法。
【請求項１４】
前記決定ステップによる結果を適用するか否か選択するための表示画面を作成するステップを有し、前記決定手段による結果を適用すると選択された場合のみ前記レイアウト設定を前記第２の画像データの処理に適用することを特徴とする請求項１１に記載の画像処理装置の制御方法。
【請求項１５】
前記決定ステップは、前記第１の画像データと合成する第２の画像データのレイアウトに、前記第１の画像データに対して設定されたレイアウトを反映させるか否かユーザの指定によって指定されることを特徴とする請求項１１に記載の画像処理装置の制御方法。
【請求項１６】
前記第２の画像データと合成が可能な第１の画像データが複数ある場合、該第１の画像データの印刷時間、該第１の画像データを印刷したユーザ名、該第１の画像データ名、該第２の画像データ名、該第１の画像データと該第２の画像データが合成された後の印刷画像のプレビューのうち少なくともいずれかをリスト表示することを特徴とする請求項１１に記載の画像処理装置の制御方法。
【請求項１７】
前記第１の画像データを印刷した後に、前記第１の画像データの印刷が行われたプレプリント紙が給紙され第２の画像データの印刷指示を受けるまで、他の画像データの印刷指示を受け付けないことを特徴とする請求項１２に記載の画像処理装置の制御方法。
【請求項１８】
前記第２の画像データが複数のページから構成されている場合、前記第１の画像データに設定されたレイアウトを前記第２の画像データに対しても設定することを特徴とする請求項１１に記載の画像処理装置の制御方法。
【請求項１９】
前記第２の画像データとして使用する画像データを編集した際、該編集の内容を画像編集設定として前記レイアウト設定とともに登録するステップ、前記第１の画像データを処理した時に設定されたレイアウトと前記画像編集設定の内容に差がある場合は第１の画像データに対して設定されたレイアウトを第２の画像データに対しても設定することを特徴とする請求項１１に記載の画像処理装置の制御方法。
【請求項２０】
前記第１の画像データはシアン、マゼンタ、イエロー、ブラックのトナーのうち少なくとも１色を用いて印刷され、前記第２の画像データは透明トナーを用いて印刷されることを特徴とする請求項１１乃至１９に記載の画像処理装置の制御方法。
【請求項２１】
コンピュータに、
第１の画像データに対してレイアウトの設定を行う設定ステップ、前記第１の画像データと合成する第２の画像データのレイアウトに前記第１の画像データに対して設定されたレイアウトを反映させるか否か決定する決定ステップ、
前記レイアウトの設定を反映して処理を施された前記第１の画像データ及び前記決定ステップにより決定されたレイアウトを反映して処理を施された第２の画像データを用いて画像を印刷するための画像データ出力する出力ステップ、を実行させるためのプログラム。
【手続補正２】
【補正対象書類名】明細書
【補正対象項目名】００２１
【補正方法】変更
【補正の内容】
【００２１】
前記課題を解決するため、本発明における画像処理装置は、
第１の画像データに対してレイアウトの設定を行う設定手段、
前記第１の画像データと合成する第２の画像データのレイアウトに、前記第１の画像データに対して設定されたレイアウトを反映させるか否か決定する決定手段、
前記レイアウトの設定を反映して処理を施された前記第１の画像データ及び前記決定手段により決定されたレイアウトを反映して処理を施された第２の画像データを用いて画像を印刷するための画像データ出力する出力手段、
を有することを特徴とする。